(57)【特許請求の範囲】
【請求項１】
ポールまたはステッキのグリップ（１８）に固定される手首ストラップ（１１）が、手首の周囲に巻き付ける周長の調節可能なループ部分（２１）を有し、手袋の掌面側の親指継目領域を延出する取付部（３１）を有し、グリップ（１８）及びループ部分（２１）に向けて手袋の外面を延出するプルタブ（３０）を有し、グリップに対して好ましくは掛け外し可能であり手袋（１０）より突出する接続要素（３２）が取付部（３１）及びプルタブ（３０）に不変的に取り付けられて手袋（１０）の人指し指部分又は手部分と親指部分との間に配置される、例えばスキーポール、クロスカントリーポール、ハイキング又はウォーキング用のステッキなどのポールのための一体成形された手首ストラップ（１１）を有する手袋（１０）であって、取付け部（３１）及びプルタブ（３０）が手袋の上部面（２６）に沿って自在に延出するように配置され、ループ部分（２１）の長さ調節領域が手袋の上部面（２６）に存在する手袋の２つの狭側面（３５、３６）の間を自在に延出し、プルタブ（３０）が少なくとも部分的に弾性を有して手袋の外面の前記ループ部分（２１）に取外し可能に固定され得る、一体形成された手首ストラップを有する手袋。
【請求項２】
前記プルタブ（３０）が前記ループ部分（２１）の調節領域の外側に取外し可能に固定される、請求項１に記載の手袋。
【請求項３】
前記プルタブ（３０）のためのループ部分（２１）の固定領域が手袋の人指し指側の狭側面（３５）領域に配置される、請求項２に記載の手袋。
【請求項４】
前記ループ部分（２１）が手袋の２つの狭側面（３５、３６）の間を斜方向に延出するよう配置される、請求項２又は３に記載の手袋。
【請求項５】
前記ループ部分（２１）が手袋の掌側においてのみ固定される、請求項１乃至４の少なくとも１つに記載の手袋。
【請求項６】
前記手首ストラップ（１１）を前記手袋（１０）に固定するために、手袋の上部面（２６）から出入り可能なケーシング（３７、３８）を有する、請求項５に記載の手袋。
【請求項７】
前記ケーシング（３７、３８）が手袋の各狭側面（３５、３６）の領域に開口部を有し、手袋の掌側において前記開口部が隣接してそれぞれ設けられる、請求項６に記載の手袋。
【請求項８】
前記２つのケーシング（３７、３８）の隣接開口部が手袋（１０）の親指部分の継目領域付近に設けられる、請求項７に記載の手袋。
【請求項９】
前記ケーシング（３７、３８）が手袋（１０）に不変的に固定されたカバー層により形成される、請求項６乃至８の少なくとも１つに記載の手袋。
【請求項１０】
親指に向かう側面上の前記ケーシング（３７）が曲線状に延出し、一方、小指に向かう側面上の前記ケーシング（３８）が直線状に、斜方向に向けて上昇するように延出する、請求項６乃至９の少なくとも１つに記載の手袋。
【請求項１１】
親指部分（１２）及び人指し指部分（１３）の間を延出する領域から見てプルタブ（３０）のほぼ延長線上から突出する接続要素（３２）が、ポール又はステッキのグリップ（１８）に挿入されて戻り止め突起手段によってグリップ（１８）に掛合される、上記請求項１乃至１０の少なくとも１つに記載の手袋。
【請求項１２】
前記接続要素（３２）がグリップ（１８）に、引張応力に応じて掛け外されるような方法で掛合される、請求項１１に記載の手袋。
【請求項１３】
前記接続要素（３２）が作動部材（４４）により掛け外されるような方法で掛合され得る、請求項１１又は１２に記載の手袋。
【発明の詳細な説明】
【０００１】
【発明の属する技術分野】
本発明は、請求項１の前文で包括的に定義されるように、例えばスキーポール、クロスカントリーポール、或いはハイキング又はウォーキング用のステッキなどのポールのための一体形成された手首ストラップを備える手袋に関する。
【０００２】
【従来の技術】
欧州特許公開公報第ＥＰ−Ｂ１  ０  ３５７  ５１７号により知られるこのような手袋の１つの例では、手首ストラップは本質的に完全に手袋の内側に配置され、固定される。ループ部分の調節可能部分、及びポール又はステッキのグリップと接続するための接続要素のみが、手袋の内部から外方向に延出している。このようにすると、手袋がステッキ又はポールのグリップに掛け留められる場合には、グリップに直接的に固定され、特に下り斜面滑降時に加えられる力はスキーポールから手袋へ、又はその逆へと直接的に伝達され得る。しかしながら、このような手袋はスキーポールに堅固に結合されるだけである。換言すると、手袋とスキーポールとをこのように掛合させると、ポールはこの一点でのみ握持されることになる。これではスキーを履いてのヒルクライミング又はクロスカントリースキーでの滑走開始時に求められる握り位置をとることは可能ではない。
【０００３】
米国特許第３，２１８，０８９号及び同第３，１７０，７０３号は、その１つの実施の形態の中で、上記の特許と同様に手袋をスキーポールに堅固に固定するための、親指部分と人指し指部分との間に取り付けられた、「浮遊外皮(floating skin) 」の形態をとる接合部を有する手袋を開示している。この接合部は手袋とスキーポールのグリップとの間に上述のものと同じ不動の接合を提供する。これらの特許で開示される他の実施の形態では、手袋は手首ストラップを備え、この手首ストラップは比較的余裕をもたせて手袋に通してあるため、スキーポールグリップに対して手袋がかなり自在に運動することが可能である。例えば、スキーヤーは手袋を着用したままスキーポールグリップの端部を容易に握持することができ、又はスキーポールグリップのヘッド上面に手を載せてもたれかかることができる。スキーポールグリップは、ループを介して紛失しないようにつり下げられることも可能であり、このためスキーヤーは手で他の物を握ることができる。しかしながら、この公知の手袋では、手袋とは分離された従来の典型的な手首ストラップの場合と同様に、ポールの滑り落ちを防止しつつ、確実な握持を提供する、スキーポールの堅固で確実な握持を達成することはできない。
【０００４】
【発明が解決しようとする課題】
従って、本発明の目的は、例えばスキーポール、クロスカントリーポール、ハイキング又はウォーキング用のステッキなどのポールを握持するための手袋であって、力の直接的な伝達のためにスキーポールをより確実に握持することのみならず、どのような状況にあってもスキーポールを握持し、またスキーポールを紛失させることなく手袋から釣支することを可能とする、冒頭で述べたようなタイプの一体形成された手首ストラップを備えた手袋を製造することである。
【０００５】
【課題を解決するための手段】
この目的を達成するために、請求項１では冒頭で述べたタイプの一体形成された手首ストラップを備えた手袋に特性を付与している。
【０００６】
発明にあたり、特にプルタブの弾性を考慮して、一方では手袋がスキーポールに堅固に固定されるようにしながらも、他方ではスキーを装着した状態での登板、ハイキングまたはクロスカントリー滑走時の押し出し動作での要請に応じられるように、手袋またはその内面を介してスキーポールを握持、即ちスキーポールの先端まで手が届くようにした。ステッキ又はポールをグリップ上で確実に握持するにも関わらず、他の運動のために必要とされる、不可欠な動作の自由は得られる。これらの利点に加えて、プルタブは取り外し可能であり、手首ストラップが幾つかの部分においてのみ固定されるという事実は、スキーポールを紛失することなく手袋から釣支することが可能であり、従ってスキーヤー又はハイカーは他の物を同じ手で握持することができることを意味している。
【０００７】
請求項２乃至５に記載の１つもしくはそれ以上の特性により、ループ部分からプルタブを取り外したり又はループ部分にプルタブを再接続する際の便利な操作が可能である。
【０００８】
ループ部分を手袋に固定する方法に関する利点は請求項６乃至１１に記載の１つもしくはそれ以上の特性により達成される。これにより、例えば、ループ部分の調節及び手袋のスキーポールグリップからの掛け外しの迅速且つ簡単な実行を確実にする。更に、スキーポールグリップを手袋から十分に離間させることが可能である。
【０００９】
プルタブ又は手首ストラップをスキーポールグリップに接続する接続要素の好適な特徴は請求項１２乃至１４に記載の１つもしくはそれ以上の特性により達成される。ここにおいて肝要な点は接続要素上に備えられる戻り止めの突起であり、この突起はスキーポールグリップに嵌挿され掛合される。掛け外しはいわゆる安全解放(safety release)により、つまりポールの引張応力に応じて受動的又はスキーポールグリップ上に備えられた作動レバーを用いて意図的に、のいずれかにより達成される。
【００１０】
本発明の更なる詳細は、図面に示された例示的な実施の形態に関して本発明の更なる詳細を描写し説明した以下の記述により明らかとなる。
【００１１】
【発明の実施の形態】
好適な例示的実施の形態に関して図中で示された手袋１０は、例えばスキーポール、ハイキングステッキ、クロスカントリーポール、ウォーキングステッキなどのポール及びステッキとの掛合に適した一体形成された手首ストラップ１１を備える。手袋１０は、ここでは指の部分を有するグローブの形状を有するものとして示されるが、ミトン状であってもよく、親指部分１２、人指し指部分１３、中指部分１４、薬指部分１５、及び小指部分１６を有し、同時にこれらの指部分１２から１６を１つに繋いで使用者の手首上まで延出する本体又はシャンク部分１７を有する。
【００１２】
手首ストラップ１１は、手袋１０のシャンク部分１７を取り巻き、長さの調節が可能なループ部分２１を備える。手首ストラップ１１又はループ部分２１の周長の調節はループ部分２１の自由端２２をバックル２３を通して引っ張り、後方に折り返し、ベルクロ(Velcro)装置２４によりループ部分２１の反対に位置する領域２５に取外し可能に圧着することにより達成される。ループ部分２１の周長を調節するためのこの装置２２乃至２５は手袋の外側に位置付けられ、手袋１０の上部面２６上を斜方向に向けて直線的に上昇しながら自在に延出される。
【００１３】
手袋の掌側において、手首ストラップ１１の取付け部３１はループ部分２１に不変的に取り付けられており、又、プルタブ３０は容易に取り外せるような方法で手袋の外側の取付け部３１に接続されていてもよい。プルタブ３０及び取付け部３１はループ部分２１から離れたそれぞれの端部で接続要素３２を介して互いに接続されており、接続要素３２は図４に示すようにスキーポールグリップ１８との掛け外し可能な接続を提供する。手袋１０は掌側に２つのケーシング３７及び３８を有し、これらのケーシングはそれぞれ手袋１０の狭側面３５又は３６から始まり、手袋１０の掌側の、親指部分の継目に近い領域３９に達する。１つのケーシング３７は親指部分１２の下部に存在するシャンク１７の一領域から始まり前記掌領域３９へ曲線的に延出し、一方もう１つのケーシング３８はこの掌領域３９の高さから始まり斜下方に向けてほぼ直線的に延出する。２つのケーシング３７及び３８は領域３９において隣接して設けられた掌側の開口部をそれぞれ有し、一方で外側に位置づけられる各開口部は手袋の人指し指側の狭側面３５及び手袋の小指側の狭側面３６にそれぞれ設けられる。ループ部分２１が延出する領域はケーシング３７及び３８の内側を通過し、その結果手首ストラップ１１は手袋の掌側にのみ固定される。ループ部分２１は手袋１０に固定されるか又は自在に延出するかのいずれかの方法でケーシング３７及び３８を通過する。ケーシング３７及び３８の内部空間に隣接する位置には、取付け部３１がループ部分２１に固定される。図示された例示的な実施の形態において、ケーシング３７及び３８は掌領域を例えば手袋１０のシャンク１７の上部面２６に縫い付けられるカバー層で適応部分を被覆することにより形成される。
【００１４】
プルタブ３０はその一端で接続要素３２に不変的に取り付けられ、他端は容易に取外しのできる方法でループ部分に固定されている。プルタブ３０は手袋１０の人指し指部分側の狭側面３５の領域において、ループ部分２１への取外し可能な固定部分から手袋の親指部分１２と人指し指部分１３との間の領域４０へと延出する。プルタブ３０はいづれの部分に向けても又はその長さ方向全体にわたり伸縮可能にできている。図示された例示的な実施の形態においては、ゴムによる弾性部品４１がプルタブ３０内に挿入されている。例示的な実施の形態において、プルタブ３０とループ部分２１との着脱はスナップ又はグリッパ装置３３を用いて行われる。ループ部分２１上に設けられるスナップ又はグリッパ装置３３は、バックル２３を支えるループ部分２１の端部２７の外装面に突設される。図１〜図３に図示するように、手首ストラップ１１が閉位置にあるとき接続要素３２はプルタブ３０の延長線上を、手袋の領域４０上の２本の指部分１２及び１３の間に延出し、２本の指部分１２及び１３の位置と比較すると幾分斜方向に延出するような位置に置かれる。
【００１５】
図３に図示した通り、接続要素３２はストラップの形態をとり、プルタブ３０の適応端部及び取付け部３１が挿入される溝４３を背面に有し、それらは溝内で例えばねじ留め具又はピンを用いて確実に保持される。接続要素３２の前端部は戻り止めの突起４２を備えており、接続要素３２は詳細には図示されないがこの戻り止めの突起４２を介してスキーポールグリップ１８、即ちその窪みへの挿入により掛合される。接続要素３２はグリップ１８の内側に掛け外し可能に掛合され、取外しは安全掛け外し装置によって受動的に、又はスキーポールグリップ１８上に備えられた作動要素４４を用いて意図的に、のいずれかにより達成され得る。
【００１６】
手首ストラップ１１が図１〜図３に示した方法で閉じられ、手袋１０上に適切に保持されると、スキーポールグリップ１８に接続要素３２が嵌め込まれることで手袋１０はスキーポールグリップ１８をぴったりと、堅固に、滑らないように握持することができる。この状態では、プルタブ３０が弾性を有する形態をとるため、いわゆる通常の位置でのスキーポールグリップ１８と手袋１０との密接な接触を得られるばかりでなく、使用者が手袋１０をスキーポールグリップ１８のヘッド端部に置き自分自身を支えることができ、このようにして自分の手をグリップ上端面に置いてもたれかかることも可能となる。
【００１７】
対照的に、図４はスキーポールグリップ１８に掛合した手首ストラップ１１を示すが、プルタブ３０がループ部分２１から取り外されている。スキーポールグリップ１８は手首ストラップ１１により保持され、使用者が他の物を手袋１０を着用したまま握持することができるように手袋１０により釣支され、自在に遊動可能である。この状態は、プルタブ３０がループ部分２１から取り外せる一方で、プルタブ３０及び取付部３１はループ部分２１の掌側に固定された範囲内では手袋から本質的に自在に遊動できることにより達成される。そのため、ケーシング３７及び３８の内部空間部分についても適切に強化され得ることを理解されたい。
【図面の簡単な説明】
【図１】本発明の好適な例示的実施の形態に従う、手首ストラップを備えた手袋の後面斜視図である。
【図２】図１の手袋の側面斜視図である。
【図３】図１の手袋の、掌側から見た斜視図である。
【図４】手首ストラップが取り外され、スキーポールグリップが保持された状態にある、図３のものと類似の手袋の斜視図である。
【図１】
0004316704.tif 000002
【図２】
0004316704.tif 000003
【図３】
0004316704.tif 000004
【図４】
0004316704.tif 000005